(57)【要約】【課題】視覚的な違和感を殆ど生じることなく視認性に優れたゴルフボールを提供する。【解決手段】青色、ピンク色、黄色のいずれかに着色されたゴルフボール１であって、その色調をＬａｂ方式で表示したとき、Ｌ値、ａ値及びｂ値が下記関係を満足する。３５≦Ｌ−（ａ２　＋ｂ２　）１／２　≦５５【選択図】　図１
2004033594.tif 000002
【特許請求の範囲】
【請求項１】
青色、ピンク色、黄色のいずれかに着色されたゴルフボールであって、その色調をＬａｂ方式で表示したとき、Ｌ値、ａ値及びｂ値が下記関係を満足することを特徴とするゴルフボール。
３５≦Ｌ−（ａ２　＋ｂ２　）１／２　≦５５
【請求項２】
前記ａ値及び前記ｂ値の少なくとも一方がマイナス値である請求項１に記載のゴルフボール
【発明の詳細な説明】
【０００１】
【発明の属する技術分野】
本発明は、白色以外の色に着色されたゴルフボールに関し、さらに詳しくは、視覚的な違和感を殆ど生じることなく視認性に優れたゴルフボールに関する。
【０００２】
【従来の技術】
ゴルフボールとしては白色に着色されたものが多く、白色以外の色に着色されたゴルフボール（カラーボール）は冬場に僅かに使用される程度である。その理由は、カラーボールは冬場の枯れた白みがかった芝の上で目立ち、ボールの視認性が良いからである。そのため、現在のカラーボールは、主に冬場での使用を目的としたものとなっており、冬場の白みがかった芝の上でできるだけ際立つように極めて濃い色に着色されている。しかしながら、このようなカラーボールは視認性に優れているものの、視覚的な違和感があるため、専ら冬場だけに使用されているのが現状である。
【０００３】
これに対して、白色を好むゴルファーにも視覚的な違和感を与えることなく汎用性があるカラーボールとして、特開平１０−１５５９３７号公報には、色調をＬａｂ方式で表示したとき、Ｌ値が８０以上、ａ値が−３０〜＋３０の範囲内、ｂ値が−３０〜＋３０の範囲内である淡色ボールが提案されている。更に、特開２０００−２５４２５０号公報には、淡色ボールを得るための具体的な着色剤等が言及されている。しかしながら、これら淡色ボールはファッション性が認められるものの、視認性の点では改善効果が不十分であった。
【０００４】
【発明が解決しようとする課題】
本発明の目的は、視覚的な違和感を殆ど生じることなく視認性に優れたゴルフボールを提供することにある。
【０００５】
【課題を解決するための手段】
上記目的を達成するための本発明のゴルフボールは、青色、ピンク色、黄色のいずれかに着色されたゴルフボールであって、その色調をＬａｂ方式で表示したとき、Ｌ値、ａ値及びｂ値が下記関係を満足することを特徴とする。
【０００６】
３５≦Ｌ−（ａ２　＋ｂ２　）１／２　≦５５
本発明者は、着色されたゴルフボールの視認性と視覚的な違和感との関係について実験に基づいて鋭意研究した結果、青色、ピンク色、黄色のいずれかに着色されたゴルフボールであって、かつＬａｂ方式の色調におけるＬ値、ａ値及びｂ値が上述の関係を満足するゴルフボールは、視覚的な違和感を殆ど生じることなく視認性に優れていることを知見し、本発明に至ったのである。特に、ａ値及びｂ値の少なくとも一方がマイナス値であると、良好な視認性を得ることが可能になる。
【０００７】
【発明の実施の形態】
本発明のゴルフボールは、ツーピースボール、スリーピースボール等のマルチピースソリッドゴルフボール、糸巻きゴルフボール、ワンピースゴルフボールを包含するものである。例えば、図１に示すように、ゴルフボール１の表面には、多数のディンプル２を形成すると良い。
【０００８】
本発明のゴルフボールは、青色、ピンク色、黄色のいずれかに着色されたものであり、その色調をＬａｂ方式で表示したとき、Ｌ値、ａ値及びｂ値が下記関係を満足するものである。
【０００９】
３５≦Ｌ−（ａ２　＋ｂ２　）１／２　≦５５
ここで、Ｌａｂ方式による色の表示とは、ＪＩＳ−Ｚ−８７２９に規定された色の表示方法である。この方法において、Ｌ（明度）、ａ及びｂの値は、ＪＩＳ−Ｚ−８７０１又はＪＩＳ−Ｚ−８７２８に規定された三刺激値Ｘ，Ｙ，Ｚを用いて下記式により求められる。
【００１０】
Ｌ＝１１６（Ｙ／Ｙｎ　）１／３　−１６
ａ＝５００〔（Ｘ／Ｘｎ　）１／３　−（Ｙ／Ｙｎ　）１／３　〕
ｂ＝２００〔（Ｙ／Ｙｎ　）１／３　−（Ｚ／Ｚｎ　）１／３　〕
但し、Ｘｎ　，Ｙｎ　，Ｚｎ　は完全拡散反射面のＸＹＺ系における三刺激値である。色調の測定には、例えば、ミノルタ社製の色彩色差計ＣＲ−２４１を使用することができる。
【００１１】
Ｌ値は明度の指標となるもので、Ｌ値が大きいほど明るい。ａ値とｂ値は、色相の指標となるもので、ａ値が大きくなると赤方向の色となり、小さくなると緑方向の色となる。一方、ｂ値が大きくなると黄方向の色となり、小さくなると青方向の色となる。
【００１２】
本発明のゴルフボールは、青色、ピンク色、黄色のいずれかに着色されたものであって、３５≦Ｌ−（ａ２　＋ｂ２　）１／２　≦５５の関係を満足しているので、ゴルファーが視覚的な違和感を感じることがなく、しかも視認性に優れている。ここで、Ｌ−（ａ２　＋ｂ２　）１／２　が３５未満であると色が濃過ぎて違和感を生じるようになり、逆に５５を超えると色が淡過ぎて視認性の改善効果が得られなくなる。特に、４０≦Ｌ−（ａ２　＋ｂ２　）１／２　≦５３の関係を満足することが好ましい。視認性に優れた色彩を構成するに際し、ａ値及びｂ値の少なくとも一方をマイナス値とすることが好ましい。つまり、ａ値及びｂ値の両方がプラス値である場合、オレンジ系の色彩となり、特に冬場の視認性が低下する。
【００１３】
ゴルフボールの着色は、ゴルフボールの表層を構成するカバーの着色、ゴルフボールの表面を覆う塗膜の着色、或いは、これらカバー及び塗膜の両方の着色により行うと良い。カバーを着色する場合、アイオノマー樹脂、ウレタン系樹脂、ポリエステル系樹脂等のカバー材料に、顔料や染料等の着色剤を混合すれば良い。また、塗膜を着色する場合、二液硬化型ウレタン塗料、水系エマルジョン塗料、紫外線硬化型アクリル塗料等の塗料に、顔料や染料等の着色剤を混合すれば良い。但し、ワンピースゴルフボールの場合には、ゴルフボールの構成材料に顔料や染料等の着色剤を混合すれば良い。
【００１４】
顔料としては、無機顔料及び有機顔料のいずれを使用しても良い。無機顔料としては、べんがら（Ｆｅ２　Ｏ３　）、鉛丹（Ｐｂ３　Ｏ４　）、モリブデンレッド、カドミウムレッド等の赤色顔料；チタンイエロー（２０ＴｉＯ２　−ＮｉＯ−Ｓｂ２　Ｏ３　）、リサージ（ＰｂＯ）、黄鉛（ＰｂＣｒＯ４　）、黄色酸化鉄（ＦｅＯ（ＯＨ））、カドミウムイエロー等の黄色顔料；コバルトブルー（ＣｏＯ・Ａｌ２　Ｏ３　）、プルシアンブルー、群青等の青色顔料等が挙げられる。
【００１５】
有機顔料としては、アゾ顔料、フタロシアニン顔料、ペリレン系顔料等が挙げられる。また、アゾ顔料としては、ピグメントイエロー−１、ピグメントイエロー−１２、ピブメントレッド３、ピグメントレッド５７等が挙げられる。
【００１６】
【実施例】
表１に示すように色調を種々異ならせた実施例１〜３及び比較例１〜５のゴルフボールをそれぞれ作製した。
【００１７】
これら実施例１〜３及び比較例１〜５のゴルフボールについて、下記の方法により視覚的な違和感及び視認性をを評価し、その結果を表１に併せて示した。
【００１８】
視覚的な違和感：
１００人のゴルファーが上記ゴルフボールを試打し、アドレス時に視覚的な違和感を感じるか否かを評価した。評価結果は、違和感がないと評価したゴルファーの比率（％）である。
【００１９】
視認性：
１００人のゴルファーが上記ゴルフボールを用いて実際に冬場のゴルフコースでラウンドし、視認性が良好であるか否かを評価した。評価結果は、視認性が良好であると評価したゴルファーの比率（％）である。
【００２０】
【表１】
2004033594.tif 000003
この表１から判るように、実施例１〜３のゴルフボールはいずれも視覚的な違和感を殆ど生じることなく視認性に優れたものであった。
【００２１】
【発明の効果】
以上説明したように本発明のゴルフボールは、青色、ピンク色、黄色のいずれかに着色されたゴルフボールであって、その色調をＬａｂ方式で表示したとき、Ｌ値、ａ値及びｂ値が３５≦Ｌ−（ａ２　＋ｂ２　）１／２　≦５５の関係を満足するから、視覚的な違和感を殆ど生じることなく視認性に優れている。
【００２２】
本発明のゴルフボールは、視認性に優れ、かつ視覚的な違和感が殆どないので、冬場のみならずオールシーズンで有効に活用することができる。勿論、上記着色に基づいてファッション性を高めることも可能である。
【図面の簡単な説明】
【図１】本発明の実施形態からなるゴルフボールをを示す正面図である。
【符号の説明】
１　ゴルフボール
２　ディンプル
【図１】
2004033594.tif 000004